(57)【要約】【課題】  ステップを確実に固定するとともに、必要時には簡単に固定を解除してステップを持ち運びできるようにする。【解決手段】ステップ１の踏み板１１の裏面に、上下に貫通する挿通穴２ｂが踏み板１１の外周面を越えて位置するように固定プレート２が固定される。一方、玄関などの側板には、鍔付きタッピングネジ４が固定されるとともに、該鍔付きタッピングネジ４の頭部４１と鍔４２との間にガイド溝３ａを介して摺動自在に嵌挿されるガイドプレート３の下端部が固定プレート２の挿通穴２ｂに挿通される。【選択図】  図３
2006089954.tif 000002
【特許請求の範囲】
【請求項１】
上方より見て略矩形状の踏み板の四隅に支持脚が垂設されたステップにおいて、上下に貫通する挿通穴を有し、該挿通穴が踏み板の外周面を越えて位置するように踏み板の裏面に固定された固定プレートと、長手方向に延びるガイド溝を有するガイドプレートと、側板に固定された鍔付きタッピングネジと、からなり、ガイド溝を通して鍔付きタッピングネジの頭部と鍔部との間に摺動自在に嵌挿したガイドプレートが固定プレートの挿通穴に挿通されることを特徴とするステップの固定構造。
【発明の詳細な説明】
【技術分野】
【０００１】
この発明は、玄関や上がり框などに設けられるステップの固定構造に関するものである。
【背景技術】
【０００２】
従来より、高齢者などが玄関や勝手口の上がり框などの段差で躓いて転倒するのを防止するため、ステップを設置することが行われている。この場合、ステップを固定金具を介して玄関などの側板に着脱自在にビス固定することにより、使用時にステップが移動しないようにしている。
【０００３】
一方、ステップを固定金具を介してビス固定した場合、ステップの下方を清掃するためには、その都度ビス固定を解除する必要があり、作業が煩雑となる欠点がある。このため、特許文献１に示すように、固定金具に透孔を形成し、該透孔を支持脚に摺動自在に嵌挿した固定金具を玄関などの側板に固定することが提案されている。このようなステップの固定構造であれば、清掃に際して固定金具を着脱する必要がなく、ステップを持ち上げることで対応することが可能となる。
【特許文献１】特開２０００−２９７５８５号公報
【発明の開示】
【発明が解決しようとする課題】
【０００４】
ところで、透孔を有する固定金具を利用してステップを固定する構造では、ステップの下方を清掃するに際してステップを持ち上げた後、持ち上げた状態に保持しなければならず、足腰の弱っている高齢者に不安定な作業姿勢と労力を強いるものとなる。
【０００５】
本発明は、このような問題点に鑑みてなされたもので、ステップを確実に固定することができるとともに、必要時には簡単に固定を解除してステップを持ち運びすることができるステップの固定構造を提供するものである。
【課題を解決するための手段】
【０００６】
本発明は、上方より見て略矩形状の踏み板の四隅に支持脚が垂設されたステップにおいて、上方より見て略矩形状の踏み板の四隅に支持脚が垂設されたステップにおいて、上下に貫通する挿通穴を有し、該挿通穴が踏み板の外周面を越えて位置するように踏み板の裏面に固定された固定プレートと、長手方向に延びるガイド溝を有するガイドプレートと、側板に固定された鍔付きタッピングネジと、からなり、ガイド溝を通して鍔付きタッピングネジの頭部と鍔部との間に摺動自在に嵌挿したガイドプレートが固定プレートの挿通穴に挿通されることを特徴とするものである。
【０００７】
本発明によれば、玄関などの側板に打ち込まれた鍔付きタッピングネジの頭部と鍔部との間にガイド溝を通してガイドプレートを摺動自在に嵌挿する一方、ステップの踏み板裏面に、挿通穴が踏み板の外周面を越えて位置するように、固定プレートを固定する。そして、ステップに固定された固定プレートの挿通穴に、側板に固定された鍔付きタッピングネジに対してガイド穴を通して摺動自在に嵌挿されたガイドプレートの下端部を挿通すれば、ステップは、固定プレートの挿通穴に挿通されたガイドプレートを介して前後方向および左右方向に位置決めされる。このため、ステップは、移動することがなく、安全に使用することができる。
【０００８】
一方、鍔付きタッピングネジに対してガイドプレートをガイド穴を通して引き上げれば
、ガイドプレートを固定プレートの挿通穴から離脱させることができることから、ステップを持ち上げて任意の位置に移動させることができ、ステップが設置された空間の床を清掃することができる。
【発明の効果】
【０００９】
本発明によれば、ステップを確実に固定することができるとともに、必要時には簡単に固定を解除してステップを持ち運びすることができる。
【発明を実施するための最良の形態】
【００１０】
以下、本発明の実施の形態を図面に基づいて説明する。
【００１１】
図１乃至図３には、本発明のステップの固定構造の一実施形態が示されている。
【００１２】
この固定構造は、ステップ１と、ステップ１に固定された固定プレート２と、固定プレート２に対して摺動自在に嵌挿されたガイドプレート３と、ガイドプレート３を摺動自在に嵌挿する鍔付きタッピングネジ４と、から構成されている。
【００１３】
ステップ１は、上方より見て略矩形に形成され、例えば、木製の踏み板１１と、踏み板１１の裏面に固定された方形の枠材１２と、枠材１２の四隅に垂設された支持脚１３とから構成され、枠材１２の一方の長辺側および短辺側には、後述する固定プレート２の外形よりも若干大きな差込穴１２ａが踏み板１１の裏面に沿うようにそれぞれ２個ずつ形成されている。また、踏み板１１の裏面には、各差込穴１２ａに対応して、それぞれ複数個の取付穴（図示せず）が形成されている。
【００１４】
固定プレート２は、断面略Ｌ字状に折曲され、基端部には、前述したステップ１における踏み板１１の裏面に形成された取付穴に対応するビス穴２ａが形成されるとともに、折曲部近傍には、後述するガイドプレート３の外形より若干大きな挿通穴２ｂが形成されている。この場合、固定プレート２をステップ１の踏み板１１の裏面にビスを介して固定した場合、固定プレート２の挿通穴２ｂは、ステップ１の踏み板１１の外周面を越えて位置するように設定されている。
【００１５】
ガイドプレート３は、長手方向に長穴状のガイド穴３ａが形成されるとともに、一端部が外方に向けて若干く字状に折曲された板材であって、その他端部側となるガイド穴３ａの端部には、ガイド穴３ａの幅よりも大きな幅の拡大穴３ｂ（図３参照）が形成されている。
【００１６】
鍔付きタッピングネジ４は、その名の通り、頭部４１の下方に鍔４２を設けたタッピングネジであって、その頭部４１の外径は、ガイドプレート３のガイド穴３ａの幅よりも大きく、また、拡大穴３ｂの幅よりも小さく設定され、一方、鍔４２の外径は、ガイドプレート３のガイド穴３ａの幅および拡大穴３ｂの幅よりも大きく設定されている。さらに、鍔付きタッピングネジ４の頭部４１と鍔４２との間隔は、ガイドプレート３の厚みよりもやや大きく設定されている。
【００１７】
次に、ステップ１を固定プレート２、ガイドプレート３および鍔付きタッピングネジ４によって固定する要領を説明する。
【００１８】
まず、ステップ１を反転させ、枠材１２に形成された差込穴１２ａを通して固定プレート２を差し込み、そのビス穴２ａを踏み板１１の取付穴に合わせてビスをねじ込み、固定プレート２を踏み板１１に固定する。この際、固定プレート２の挿通穴２ｂは、踏み板１１の外周面を越えて位置している。
【００１９】
次いで、ステップ１を反転させて支持脚１３が接地した状態で、ガイドプレート３の他端部を固定プレート２の挿通穴２ｂに上方から差し込み、玄関などの側板Ｋに沿わせた後、ガイドプレート３のガイド穴３ａの略中心を位置決めし、それぞれ鍔付きタッピングネジ４を側板Ｋにねじ込む。この後、ガイドプレート３の折曲された側の上端部を摘んで引き上げた後、その拡大穴３ｂを通して鍔付きタッピングネジ４の頭部４１を差し込み、ガイド穴３ａを頭部４１と鍔４２との間に位置させる。また、ガイドプレート３の背面を鍔４２に沿わせてガイド穴３ａを通して落とし込むことにより、鍔付きタッピングネジ４に懸吊されたガイドプレート３の下端部を固定プレート２の挿通穴２ｂに挿通することができる。この結果、ステップ１は、固定プレート２およびガイドプレート３を介して側板Ｋに対して前後方向および左右方向に位置決めされて固定される。したがって、ステップ１は移動することなく固定することができ、安全に使用することができる。
【００２０】
一方、ステップ１の下方を清掃する場合は、ガイドプレート３のく字状に折曲された側の上端部を摘んで持ち上げれば、鍔付きタッピングネジ４にガイド穴３ａが案内され、ステップ１の踏み板１１に固定された固定プレート２の挿通穴２ｂから離脱させることができる。また、引き上げたガイドプレート３を、その拡大穴３ｂを通して鍔付きタッピングネジ４の頭部４１から離脱させることができる。したがって、ステップ１を固定プレート２およびガイドプレート３による位置決め状態から解除することができ、ステップ１を持ち上げて移動することにより、ステップ１が設置された床面を清掃することができる。
【００２１】
清掃が終了すれば、元の位置にステップ１を戻すとともに、鍔付きタッピングネジ４の頭部４１にガイドプレート３の拡大穴３ｂを通して嵌合させた後、ガイドプレート３をガイド穴３ａに沿って落とし込むことにより、ガイドプレート３の下端部を固定プレート２の挿通穴２ｂに挿通すればよい。
【産業上の利用可能性】
【００２２】
以上のように本発明によれば、ステップを移動することなく確実に固定することができるとともに、必要に応じて簡単に固定状態を解除して移動することができるため、高齢者の負担を軽減することができる。
【図面の簡単な説明】
【００２３】
【図１】本発明のステップの固定構造を示す斜視図である。
【図２】図１のステップの固定構造を示す側面図である。
【図３】図１のステップの固定構造を説明する分解斜視図である。
【符号の説明】
【００２４】
１  ステップ
１１  踏み板
１３  支持脚
２  固定プレート
２ｂ  挿通穴
３  ガイドプレート
３ａ  ガイド穴
３ｂ  拡大穴
４  鍔付きタッピングネジ
４１  頭部
４２  鍔部
Ｋ  側板
【図１】
2006089954.tif 000003
【図２】
2006089954.tif 000004
【図３】
2006089954.tif 000005